(57)【要約】【課題】廃棄物の排出などの環境問題を配慮しつつ、電子部品の品質を維持することができる電子部品収納テープを提供する。【解決手段】電子部品Ｅを一定の間隔で収納する電子部品収納テープ１０であって、電子部品Ｅを収納するための収納穴１６を有するテープ本体１２と、収納穴１６を密閉するカバーテープ１４と、収納穴１６に配置され収納穴１６の湿気を吸収する吸湿手段２０と、収納穴１６に配置され収納穴１６の湿度を表示する湿度表示手段２２と、を有する。【選択図】      図２
2012084751.tif 000002
【特許請求の範囲】
【請求項１】
電子部品を一定の間隔で収納する電子部品収納テープであって、
前記電子部品を収納するための収納穴を有するテープ本体と、
前記収納穴を密閉するカバーテープと、
前記収納穴に配置され、前記収納穴の湿気を吸収する吸湿手段と、
前記収納穴に配置され、前記収納穴の湿度を表示する湿度表示手段と、
を有する電子部品収納テープ。
【請求項２】
電子部品を一定の間隔で収納する電子部品収納テープであって、
前記電子部品を収納するための収納穴を有するテープ本体と、
前記収納穴を密閉するカバーテープと、
前記カバーテープに配置され、前記収納穴の湿気を吸収する吸湿手段と、
前記カバーテープに配置され、前記収納穴の湿度を表示する湿度表示手段と、
を有する電子部品収納テープ。
【請求項３】
電子部品を一定の間隔で収納する電子部品収納テープであって、
前記電子部品を収納するための収納穴を有するテープ本体と、
前記収納穴を密閉するカバーテープと、
前記収納穴又は前記カバーテープのいずれか一方に配置され、前記収納穴の湿気を吸収する吸湿手段と、
前記収納穴又は前記カバーテープのいずれか他方に配置され、前記収納穴の湿度を表示する湿度表示手段と、
を有する電子部品収納テープ。
【請求項４】
前記湿度表示手段は、前記吸湿手段に印刷されている請求項１乃至３のいずれか１項に記載の電子部品収納テープ。
【請求項５】
前記湿度表示手段は、前記収納穴の湿度を色で表示する湿度インジケータである請求項１乃至４のいずれか１項に記載の電子部品収納テープ。
【請求項６】
前記湿度インジケータは、前記収納穴の湿度に対して色が変化し、一旦色が変化したら元に戻らない不可逆性を有している請求項５に記載の電子部品収納テープ。
【請求項７】
前記湿度インジケータは、前記収納穴の湿度の変化に応じて色が変化する可逆性を有している請求項５に記載の電子部品収納テープ。
【発明の詳細な説明】
【技術分野】
【０００１】
本発明は、例えば、電子部品などを一定の間隔で収納する電子部品収納テープに関する。
【背景技術】
【０００２】
近年、半導体を中心とした電子部品の需要が大幅に伸びている。こうした需要の大幅な伸長に伴い、電子部品の実装時に、電子部品の吸湿を原因とした実装不良が多発している。このため、このような実装不良を防止するため、湿度感知に関するモイスチャー・センシティブ・レベル（ＭＳＬ）対応が標準化されてきている。
【先行技術文献】
【特許文献】
【０００３】
【特許文献１】特開平６−１３８３号公報
【特許文献２】特開２００３−９５２１６号公報
【発明の概要】
【発明が解決しようとする課題】
【０００４】
上記従来技術では、アルミ袋内に湿度インジケータを封入した場合でも、電子部品収納テープの収納穴の湿度を検知することができない。このため、電子部品収納テープの収納穴に収納された電子部品の吸湿度を正確に判別することができず、上記した実装不良の解決に至っていなかった。なお、湿度インジケータとは、１５％（あるいは３０％）以上の湿度になると、色が変化して湿度を表示するためのものである。
【０００５】
さらに、アルミ袋内の防湿状態を保証するため、アルミ袋内への湿度インジケータの封入が規格化され、シリカゲル、アルミ袋と共に、湿度インジケータも廃棄物として問題視されている。
【０００６】
そこで、本発明は、上記問題に鑑み、廃棄物の排出などの環境問題を配慮しつつ、電子部品の品質を維持することができる電子部品収納テープを提供することを目的とする。
【課題を解決するための手段】
【０００７】
本発明は、電子部品を一定の間隔で収納する電子部品収納テープであって、前記電子部品を収納するための収納穴を有するテープ本体と、前記収納穴を密閉するカバーテープと、前記収納穴に配置され、前記収納穴の湿気を吸収する吸湿手段と、前記収納穴に配置され、前記収納穴の湿度を表示する湿度表示手段と、を有する。
【０００８】
本発明によれば、収納穴に吸湿手段が配置設されているため、収納穴単位で湿気を吸収することができる。これにより、収納穴の湿度を一定に維持することができる。また、収納穴に湿度表示手段が配置されているため、収納穴の湿度を確認することができる。これにより、収納穴単位での湿度の管理が可能になる。以上のように、収納穴単位での湿度を維持・管理を徹底させことができ、ひいては電子部品の品質を維持することができる。
【０００９】
本発明は、電子部品を一定の間隔で収納する電子部品収納テープであって、前記電子部品を収納するための収納穴を有するテープ本体と、前記収納穴を密閉するカバーテープと、前記カバーテープに配置され、前記収納穴の湿気を吸収する吸湿手段と、前記カバーテープに配置され、前記収納穴の湿度を表示する湿度表示手段と、を有する。
【００１０】
本発明によれば、カバーテープに吸湿手段が配置されているため、収納穴単位で湿気を吸収することができる。これにより、収納穴の湿度を一定に維持することができる。また、カバーテープに湿度表示手段が配置されているため、収納穴の湿度を確認することができる。これにより、収納穴単位での湿度の管理が可能になる。以上のように、収納穴単位での湿度を維持・管理を徹底させことができ、ひいては電子部品の品質を維持することができる。
【００１１】
本発明は、電子部品を一定の間隔で収納する電子部品収納テープであって、前記電子部品を収納するための収納穴を有するテープ本体と、前記収納穴を密閉するカバーテープと、前記収納穴又は前記カバーテープのいずれか一方に配置され、前記収納穴の湿気を吸収する吸湿手段と、前記収納穴又は前記カバーテープのいずれか他方に配置され、前記収納穴の湿度を表示する湿度表示手段と、を有する。
【００１２】
本発明によれば、収納穴又はカバーテープのいずれか一方に吸湿手段が配置されているため、収納穴単位で湿気を吸収することができる。これにより、収納穴の湿度を一定に維持することができる。また、収納穴又はカバーテープのいずれか他方に湿度表示手段が配置されているため、収納穴の湿度を確認することができる。これにより、収納穴単位での湿度の管理が可能になる。以上のように、収納穴単位での湿度を維持・管理を徹底させことができ、ひいては電子部品の品質を維持することができる。
【００１３】
この場合、前記湿度表示手段は、前記吸湿手段に印刷されていることが好ましい。
【００１４】
これによれば、湿度表示手段が吸湿手段に直接印刷されているため、吸湿手段を収納穴又はカバーテープに取り付けるだけで、湿度表示手段も同時に収納穴又はカバーテープに取り付けることができる。これにより、湿度表示手段の収納穴又はカバーテープに対する取付作業が不要になる。
【００１５】
この場合、前記湿度表示手段は、前記収納穴の湿度を色で表示する湿度インジケータであることが好ましい。
【００１６】
これによれば、湿度表示手段が、収納穴の湿度を色で表示する湿度インジケータで構成されているため、収納穴の湿度を視覚により瞬時に認識することができる。これにより、収納穴の湿度を容易に確認できる。
【００１７】
前記湿度インジケータは、前記収納穴の湿度に対して色が変化し、一旦色が変化したら元に戻らない不可逆性を有していることが好ましい。
【００１８】
湿度インジケータが、湿度の変化に対して一旦色が変化したら元に戻らない不可逆性を有している場合は、電子部品が吸湿したという履歴を残すことができる。これにより、吸湿有無に関して信頼性の高い電子部品を実装することができる。
【００１９】
前記湿度インジケータは、前記収納穴の湿度の変化に応じて色が変化する可逆性を有していることが好ましい。
【００２０】
これによれば、湿度インジケータは、収納穴の湿度の変化に応じて色が変化する可逆性を有しているため、湿度インジケータを再利用することができる。これにより、湿度インジケータの廃棄物を低減でき、環境問題の発生を抑制できる。
【発明の効果】
【００２１】
本発明によれば、廃棄物の排出などの環境問題を配慮しつつ、電子部品の品質を維持することができる。
【図面の簡単な説明】
【００２２】
【図１】本発明の第１実施形態に係る電子部品収納テープのテープ本体の部分的な斜視図である。
【図２】本発明の第１実施形態に係る電子部品収納テープの一部分の断面を示す構成図である。
【図３】本発明の第１実施形態に係る電子部品収納テープのテープ本体の一部分を示す平面図である。
【図４】本発明の第１実施形態に係る電子部品収納テープの変形例の一部分の断面を示す構成図である。
【図５】本発明の第１実施形態に係る電子部品収納テープの変形例の一部分の断面であり、磁石などにより電子部品を移動させたときの状態を示す構成図である。
【図６】本発明の第２実施形態に係る電子部品収納テープの一部分の断面を示す構成図である。
【図７】本発明の第２実施形態に係る電子部品収納テープのカバーテープの一部分を示す平面図である。
【図８】本発明の第２実施形態に係る電子部品収納テープのカバーテープの変形例の一部分を示す平面図である。
【図９】本発明の第３実施形態に係る電子部品収納テープの一部分の断面を示す構成図である。
【図１０】本発明の第４実施形態に係る電子部品収納テープの一部分の断面を示す構成図である。
【発明を実施するための形態】
【００２３】
本発明の第１実施形態の電子部品収納テープについて、図面を参照して説明する。  
【００２４】
図１及び図２に示すように、電子部品収納テープ１０は、電子部品Ｅを収納するための収納穴１６を有する透明のテープ本体１２と、収納穴１６を密閉する透明のカバーテープ１４と、を有している。テープ本体１２には、位置決め用の円孔１８が形成されている。電子部品は、樹脂モールド電子部品であり、例えば、半導体チップが該当する。テープ本体１２は、例えば、ポリエチレンテレフタラート、ポリスチレン、ポリカーボネートなどで構成されている。カバーテープ１４は、ポリエチレンテレフタラートで構成されている。テープ本体１２とカバーテープ１４との間には溶着層２４（例えば、ポリエチレン）が介在しており、この溶着層２４が熱溶着することによってテープ本体１２とカバーテープ１４とが相互に接着されている。
【００２５】
収納穴１６は凹部状に形成されており、収納穴１６に電子部品Ｅが収納される。また、収納穴１６の底部には、板状に形成された吸湿剤２０が配置されている。吸湿剤２０は、収納穴１６内部の湿気（水分）を吸収するものであり、例えば、シリカゲルが用いられる。
【００２６】
吸湿剤２０の上面には、収納穴１６の湿度を色で表示する湿度インジケータ２２が配置されている。湿度インジケータ２２は、厚紙に対し印刷や塗布により形成される従来から周知の印刷物であり、例えば、株式会社ＫＮラボラトリーズのものが用いられる。湿度インジケータ２２は、所定の湿度以上の場合には、赤色系に変化し、所定の湿度未満の場合には、青色系に変化する。また、湿度インジケータ２２は、用途により可逆性または不可逆性のいずれかを選択すればよい。
【００２７】
電子部品Ｅは、湿度管理された部屋で作製され、元々吸湿していない。テーピング後にカバーテープ１４に穴があいたり、カバーテープ１４が剥がれたり、後天的に問題が発生したときに、湿度インジケータ２２の色が変化する。例えば、当初の収納穴１６の湿度が所定の湿度未満であれば、湿度インジケータ２２の色は青色となり、収納穴１６の湿度が所定の湿度以上になると、湿度インジケータ２２の色は赤色に変化する。このように、湿度インジケータ２２が、収納穴１６の湿度を色で表示する構成であるため、電子部品収納テープ１０の外部から収納穴１６の湿度を視覚により瞬時に認識することができる。これにより、収納穴１６の湿度を容易に確認できる。
【００２８】
ここで、電子部品Ｅは、吸湿剤２０の上面に載せられる。このとき、湿度インジケータ２２は、電子部品が吸湿剤２０の上面に載せられた状態でカバーテープ１４を介して視認できる位置に印刷されている。具体的には、図３に示すように、平面視で四角形状となる吸湿剤２０の角部に、湿度インジケータ２２が印刷されていることが好ましい。このように、電子部品Ｅと湿度インジケータ２２とが干渉しないため、湿度インジケータ２２の色表示をカバーテープ１４の外部から視認することができる。
【００２９】
なお、図４に示すように、金属端子を有する電子部品Ｅを用いる場合、湿度インジケータ２２が吸湿剤２０の中心に印刷されており、湿度インジケータ２２の真上に電子部品Ｅが搭載されている構成でもよい。この場合には、図５に示すように、湿度インジケータ２２の色表示をカバーテープ１４の外部から視認するときに、磁石２６などにより収納穴１６に収納されている電子部品Ｅを移動させることにより、湿度インジケータ２２の色表示が確認できる。
【００３０】
磁石２６の磁力を利用する他に、電子部品収納テープ１０を傾けたり、電子部品収納テープ１０に振動を付与することにより、電子部品Ｅを移動させて、湿度インジケータ２２の色表示を確認することもできる。
【００３１】
第１実施形態によれば、電子部品収納テープ１０の収納穴１６に吸湿剤２０が配置されているため、収納穴内部の水分を吸湿剤で吸収することができる。これにより、収納穴内部の湿度を一定に維持することができる。このように、収納穴単位で低湿度を保つことができる。
【００３２】
また、電子部品収納テープ１０の収納穴１６に湿度インジケータ２２が配置されているため、各収納穴１６における湿度を視覚で認識することができる。このため、各収納穴１６単位での湿度を確認することができるため、各収納穴１６単位で電子部品の品質を徹底的に管理することができる。
【００３３】
従来技術では、電子部品収納テープの外部であって電子部品収納テープを収容するアルミ袋の内部に、湿度インジケータを封入していたため、アルミ袋から出した後の電子部品Ｅの吸湿度を把握できなかった。そのため、電子部品Ｅが実装前に吸湿した場合、実装不良が発生していた。
【００３４】
上記従来の問題点を解決するため、本実施形態では、各収納穴１６に吸湿剤２０と湿度インジケータ２２を配置させて、収納穴単位での湿度管理を行うようにしている。
【００３５】
以上のように、本実施形態では、各収納穴１６に吸湿剤２０を配置して吸湿されるとともに、電子部品Ｅの近傍に湿度インジケータ２２が配置されているため、電子部品Ｅの吸湿状態を湿度インジケータ２２の色表示に正確に反映させることができる。この結果、湿度インジケータ２２の色表示に基づいた吸湿度の信頼性を高めることができ、後の電子部品Ｅの実装不良の発生を抑制することができる。
【００３６】
また、湿度インジケータ２２が吸湿剤２０に直接印刷される構成では、吸湿剤２０を収納穴１６に取り付けるだけで、湿度インジケータ２２も同時に収納穴１６に取り付けることができる。これにより、湿度インジケータ２２の収納穴１６に対する取付作業が不要になる。
【００３７】
湿度インジケータ２２が、湿度の変化に対して一旦色が変化したら元に戻らない不可逆性を有している場合は、電子部品Ｅが吸湿したという履歴を残すことができる。これにより、吸湿有無に関して信頼性の高い電子部品Ｅを実装することができる。
【００３８】
湿度インジケータ２２が、湿度の変化に応じて色が変化する可逆性を有している場合は、湿度インジケータ２２を繰り返し再利用することができる。これにより、湿度インジケータ２２の廃棄物を低減することができ、環境問題の発生を抑制できる。
【００３９】
次に、本発明の第２実施形態の電子部品収納テープについて、図面を参照して説明する。なお、第１実施形態の電子部品収納テープの構成と重複する構成及び同様の作用・効果についての説明は、省略する。
【００４０】
図６及び図７に示すように、カバーテープ１４の内面側（収納穴側）には、板状に形成された吸湿剤２０が配置されている。吸湿剤２０は、収納穴１６内部の湿気（水分）を吸収するものであり、例えば、シリカゲルが用いられる。
【００４１】
吸湿剤２０の表面には、収納穴１６の湿度を色で表示する湿度インジケータ２２が配置されている。湿度インジケータ２２は、第１実施形態で説明した湿度インジケータと同様である。
【００４２】
ここで、電子部品Ｅは、収納穴１６の底部上に載せられる。また、湿度インジケータ２２は、白色又は透明の吸湿剤２０に表面に印刷されている。別の実施例としては、図８に示すように、吸湿剤２０の縁部に沿って、湿度インジケータ２２が配置されていてもよい。電子部品Ｅは、収納穴１６の底部に収納されており、湿度インジケータ２２と干渉しないため、湿度インジケータ２２の色表示をカバーテープ１４の外部から容易に視認することができる。特に、図８に示すように、湿度インジケータ２２が吸湿剤２０の縁部に沿って配置されている構成では、吸湿剤２０が干渉せず、透明のカバーテープ１４を介して湿度インジケータ２２の色表示を視認することができる。
【００４３】
第２実施形態によれば、吸湿剤２０と湿度インジケータ２２がカバーテープ側に配置されているため、カバーテープ１４に連続した帯状の吸湿剤２０を配置することができる。これにより、各収納穴１６に吸湿剤２０を個別に配置させる構成と比較して、吸湿剤２０の取付作業が容易になる。また、吸湿剤２０をカバーテープ１４に取り付ける前に、湿度インジケータ２２を吸湿剤２０に直接印刷することにより、吸湿剤２０のカバーテープ１４への取り付けと同時に、湿度インジケータ２２もカバーテープ側に取り付けることができる。
【００４４】
次に、本発明の第３実施形態の電子部品収納テープについて、図面を参照して説明する。なお、第１実施形態の電子部品収納テープの構成と重複する構成及び同様の作用・効果についての説明は、省略する。
【００４５】
図９に示すように、収納穴１６の底部には、板状に形成された吸湿剤２０が配置されている。吸湿剤２０は、収納穴１６内部の湿気（水分）を吸収するものであり、例えば、シリカゲルが用いられる。また、カバーテープ１４の内面側（収納穴側）には、収納穴１６の湿度状態を色表示する湿度インジケータ２２が配置されている。
【００４６】
第３実施形態によれば、電子部品Ｅが吸湿剤２０の表面に直接接触しているため、電子部品Ｅの除湿効果を高めることができる。また同時に、湿度インジケータ２２がカバーテープに取り付けられているため、湿度インジケータ２２の色表示を透明のカバーテープ１４を通して容易に確認することができる。
【００４７】
次に、本発明の第４実施形態の電子部品収納テープについて、図面を参照して説明する。なお、第１実施形態の電子部品収納テープの構成と重複する構成及び同様の作用・効果についての説明は、省略する。
【００４８】
図１０に示すように、収納穴１６の底部には、湿度インジケータ２２が配置されている。電子部品Ｅは、収納穴１６の底部に配置され、湿度インジケータ２２は、電子部品Ｅと接触しない部位に配置される。また、カバーテープ１４の内面側（収納穴側）には、収納穴１６内部の湿気（水分）を吸収する吸湿剤２０が取り付けられている。
【００４９】
第４実施形態によれば、カバーテープ側に吸湿剤２０が取り付けられているため、使用後の吸湿剤２０をカバーテープ１４と共に廃棄することができる。一方、湿度インジケータ２２は、収納穴１６の底部に接着剤などを用いず単に置かれているため、電子部品Ｅの実装処理後に、湿度インジケータ２２を収納穴１６から取り出すことにより、湿度インジケータ２２をそのまま再利用することができる。
【符号の説明】
【００５０】
１０    電子部品収納テープ
１２    テープ本体
１４    カバーテープ
２０    吸湿剤（吸湿手段）
２２    湿度インジケータ（湿度表示手段）
Ｅ      電子部品
【図１】
2012084751.tif 000003
【図２】
2012084751.tif 000004
【図３】
2012084751.tif 000005
【図４】
2012084751.tif 000006
【図５】
2012084751.tif 000007
【図６】
2012084751.tif 000008
【図７】
2012084751.tif 000009
【図８】
2012084751.tif 000010
【図９】
2012084751.tif 000011
【図１０】
2012084751.tif 000012
【手続補正書】
【提出日】平成22年10月19日(2010.10.19)
【手続補正１】
【補正対象書類名】明細書
【補正対象項目名】０００８
【補正方法】変更
【補正の内容】
【０００８】
本発明によれば、収納穴に吸湿手段が配置されているため、収納穴単位で湿気を吸収することができる。これにより、収納穴の湿度を一定に維持することができる。また、収納穴に湿度表示手段が配置されているため、収納穴の湿度を確認することができる。これにより、収納穴単位での湿度の管理が可能になる。以上のように、収納穴単位での湿度を維持・管理を徹底させことができ、ひいては電子部品の品質を維持することができる。